(57)【要約】【課題】帯状片と、被綴物を押さえる押さえ板との係合を解除する場合に、基材が表紙から剥がれ難くなる綴じ具を提供する。【解決手段】綴じ具は、一方向に延びた板状をなし、表紙に固定される基材と、該基材の二つの短辺それぞれから、基材の長手方向に突出し、被綴物の孔に挿入される帯状片と、基材に対向し、基材との間において、被綴物を押さえる押さえ板と、基材の長辺及び押さえ板を連結し、基材の長手方向に並ぶ複数のヒンジと、帯状片の先端部に形成された係合部と、押さえ板に形成され、係合部が係合する被係合部とを備える。複数のヒンジは、基材の一方向に交差する他方向において、帯状片それぞれの基端部の隣に配置されたヒンジを含む。複数のヒンジの間に開口が形成されている。基材を表紙に固定する為の補強部が、開口の内側にて、基材の長辺に設けられている。【選択図】図２
2019077082.tif 000002
【特許請求の範囲】
【請求項１】
一方向に延びた板状をなし、表紙に固定される基材と、
該基材の二つの短辺それぞれから、前記基材の長手方向に突出し、被綴物の孔に挿入される帯状片と、
前記基材に対向し、前記基材との間において、前記被綴物を押さえる押さえ板と、
前記基材の長辺及び前記押さえ板を連結し、前記基材の長手方向に並ぶ複数のヒンジと、
前記帯状片の先端部に形成された係合部と、
前記押さえ板に形成され、前記係合部が係合する被係合部と
を備え、
前記複数のヒンジは、前記基材の一方向に交差する他方向において、前記帯状片それぞれの基端部の隣に配置されたヒンジを含み、
前記複数のヒンジの間に開口が形成されており、
前記基材を前記表紙に固定する為の補強部が、前記開口の内側にて、前記基材の前記長辺に設けられている
綴じ具。
【請求項２】
前記基端部の隣に配置されたヒンジは前記基材の一方向に延び、
前記一方向において、前記基端部の隣に配置されたヒンジの両端部の間に前記基端部は配置されている
請求項１に記載の綴じ具。
【請求項３】
前記係合部は凸部を有し、
前記被係合部は、互いに対向し、可撓性を有する複数の壁体を有し、
前記凸部は前記複数の壁体の間に挿入される
請求項１又は２に記載の綴じ具。
【請求項４】
一方向に延びた板状をなし、表紙に固定される基材と、
該基材の二つの短辺それぞれから、前記基材の長手方向に突出し、被綴物の孔に挿入する為の帯状片と、
前記基材に対向し、前記基材との間において、対象物を押さえる押さえ板と、
前記基材の長辺及び前記押さえ板を連結し、前記基材の長手方向に並ぶ複数のヒンジと、
前記帯状片の先端部に形成された凸部と、
前記押さえ板に形成され、互いに対向し、可撓性を有する複数の壁体と
を備え、
前記凸部は前記複数の壁体の間に挿入され、前記凸部及び壁体が係合する
綴じ具。
【発明の詳細な説明】
【技術分野】
【０００１】
本発明は、書類、クリアシート等を綴じる綴じ具に関する。
【背景技術】
【０００２】
従来、矩形状をなし、表紙に固定される基材と、該基材の短辺それぞれから突出しており、書類等の被綴物の孔に挿入される帯状片と、基材の長辺にヒンジ部材を介して連結した狭持部材（押さえ板）とを備える綴じ具が提案されている（特許文献１〜３参照）。
【０００３】
狭持部材には切欠が形成されており、狭持部材が基材に対向した場合、被綴物の孔に挿入された帯状片は切欠に挿入される。帯状片の先端部に凹部が形成され、該凹部に係合する凸部が基材に形成されている。狭持部材と基材との間に被綴物は狭持され、凸部及び凹部を係合させることによって、狭持部材は被綴物を押さえることができる。
【先行技術文献】
【特許文献】
【０００４】
【特許文献１】特許第２８１４３６９号公報
【特許文献２】特許第３４５６９４０号公報
【特許文献３】特許第３６７０２６４号公報
【発明の概要】
【発明が解決しようとする課題】
【０００５】
特許文献１に記載の綴じ具にあっては、帯状片を引き上げて、凹部及び凸部の係合を解除させる場合に、凸部に摩擦力が集中し、凸部に連なる狭持部材及び基材に、表紙から離れる向きの力が作用し易い。新たな被綴物の追加、又は被綴物の取り出しを行う都度、凹部及び凸部の係合が解除され、表紙から離れる向きの力が繰り返し基材に作用するので、基材が表紙から剥がれ易くなる。
【０００６】
特許文献２に記載の綴じ具にあっては、基材の長辺に三つのヒンジが間隔をあけて、基材の長手方向に並設されている。基材の長辺の中央部分に一つのヒンジが設けられており、基材の長辺の両端部に、中央部分に設けたヒンジよりも短寸の二つのヒンジがそれぞれ設けられている。帯状辺の基端部は、前記長辺の中央部分に設けたヒンジと、前記長辺の端部に設けたヒンジとの間の間隔、即ち貫通孔の隣に位置する。貫通孔の内側にて、補強部が基材の長辺に設けられている。補強部が配置してあるものの、帯状片の基端部の隣には貫通孔が設けられており、また長辺の端部のヒンジは短いので、狭持部材の両端部分は容易に撓む。そのため、凹部及び凸部の係合を解除する場合、狭持部材の両端部分が撓んで、凹部及び凸部が共に同方向（表紙から離れる向き）に移動し、凹部及び凸部の係合を解除し難い。
【０００７】
特許文献３に記載の綴じ具にあっては、基材の長手方向に沿って、二つのヒンジ部が基材の中央部分に並設されている。二つのヒンジ部は、いずれも、二つの帯状片の間に配置されている。即ち、基材及び狭持部材を連結するヒンジ部は短く、狭持部材の両端部分は自由端になっている。そのため、凹部及び凸部の係合が解除される場合に、狭持部材の両端部分は容易に引き上げられて撓み、凹部及び凸部が共に同方向（表紙から離れる向き）に移動し、凹部及び凸部の係合を解除し難い。
【０００８】
本発明は斯かる事情に鑑みてなされたものであり、帯状片と、被綴物を押さえる押さえ板との係合を解除する場合に、帯状片及び押さえ板の係合が解除され易く、基材が表紙から剥がれ難くなる綴じ具を提供することを目的とする。
【課題を解決するための手段】
【０００９】
本発明に係る綴じ具は、一方向に延びた板状をなし、表紙に固定される基材と、該基材の二つの短辺それぞれから、前記基材の長手方向に突出し、被綴物の孔に挿入される帯状片と、前記基材に対向し、前記基材との間において、前記被綴物を押さえる押さえ板と、前記基材の長辺及び前記押さえ板を連結し、前記基材の長手方向に並ぶ複数のヒンジと、前記帯状片の先端部に形成された係合部と、前記押さえ板に形成され、前記係合部が係合する被係合部とを備え、前記複数のヒンジは、前記基材の一方向に交差する他方向において、前記帯状片それぞれの基端部の隣に配置されたヒンジを含み、前記複数のヒンジの間に開口が形成されており、前記基材を前記表紙に固定する為の補強部が、前記開口の内側にて、前記基材の前記長辺に設けられている。
【００１０】
本発明に係る綴じ具は、前記基端部の隣に配置されたヒンジは前記基材の一方向に延び、前記一方向において、前記基端部の隣に配置されたヒンジの両端部の間に前記基端部は配置されている。
【００１１】
本発明に係る綴じ具は、前記係合部は凸部を有し、前記被係合部は、互いに対向し、可撓性を有する複数の壁体を有し、前記凸部は前記複数の壁体の間に挿入される。
【００１２】
本発明に係る綴じ具は、一方向に延びた板状をなし、表紙に固定される基材と、該基材の二つの短辺それぞれから、前記基材の長手方向に突出し、被綴物の孔に挿入する為の帯状片と、前記基材に対向し、前記基材との間において、対象物を押さえる押さえ板と、前記基材の長辺及び前記押さえ板を連結し、前記基材の長手方向に並ぶ複数のヒンジと、前記帯状片の先端部に形成された凸部と、前記押さえ板に形成され、互いに対向し、可撓性を有する複数の壁体とを備え、前記凸部は前記複数の壁体の間に挿入され、前記凸部及び壁体が係合する。
【発明の効果】
【００１３】
本発明に係る綴じ具にあっては、二つの帯状片の基端部それぞれに対向する位置にヒンジが配されている。そのため、押さえ板の自由な移動を規制し、押さえ板の撓みを抑制することができ、帯状片及び押さえ板の係合を容易に解除させることができる。また押さえ板の撓みによるモーメントが基材に作用し難くなり、基材が表紙から剥がれ難くなる。また複数のヒンジの間に開口を形成し、開口の内側にて、基材に補強部が設けられているので、より一層、基材が表紙から剥がれ難くなる。
【００１４】
本発明に係る綴じ具にあっては、凸部は複数の壁体の間に挿入され、係合する。係合を解除する場合、複数の壁体は互いに離れる方向に撓み、円滑に凸部が抜き出される。そのため、凸部及び壁体の係合を解除する場合に、凸部及び壁体の間に発生する摩擦力を低減させて、押さえ板の撓みを抑制することができ、帯状片及び押さえ板の係合を容易に解除させることができ、また基材が表紙から剥がれ難くなる。
【図面の簡単な説明】
【００１５】
【図１】ファイルを略示する平面図である。
【図２】展開した綴じ具を略示する拡大平面図である。
【図３】図２に示すＩＩＩ―ＩＩＩ線を切断線とした略示断面図である。
【図４】図２に示すＩＶ―ＩＶ線を切断線とした略示断面図である。
【図５】図２に示すＶ―Ｖ線を切断線とした略示断面図である。
【図６】図２に示すＶＩ―ＶＩ線を切断線とした略示断面図である。
【図７】展開した綴じ具を略示する拡大左側面図である。
【図８】展開した綴じ具を略示する拡大正面図である。
【図９】押さえ板と基材とを対向させて、帯状片を凹部に挿入した状態を略示する斜視図である。
【図１０】図１のＸ−Ｘ線を切断線とした、０枚又は数枚の書類を綴じた状態を略示する綴じ具の断面図である。
【図１１】多数の書類を綴じた状態を略示する綴じ具の断面図である。
【発明を実施するための形態】
【００１６】
以下本発明を、実施の形態に係るファイル１を示す図面に基づいて説明する。以下の説明では、各図に示す上下前後左右を使用する。図１は、ファイル１を略示する平面図である。ファイル１は、矩形の表表紙２と、矩形の裏表紙３と、綴じ具４とを備える。表表紙２及び裏表紙３それぞれの長辺は前後方向に延び、表表紙２及び裏表紙３それぞれの短辺は左右方向に延びる。表表紙２の右側の長辺と、裏表紙３の左側の長辺とは折り曲げ可能に連結している。綴じ具４は、裏表紙３の左縁部の前後方向中央部分に設けられている。なお図１の綴じ具４は、閉じた状態を示している。
【００１７】
図２は、展開した綴じ具４を略示する拡大平面図、図３は、図２に示すＩＩＩ―ＩＩＩ線を切断線とした略示断面図、図４は、図２に示すＩＶ―ＩＶ線を切断線とした略示断面図、図５は、図２に示すＶ―Ｖ線を切断線とした略示断面図、図６は、図２に示すＶＩ―ＶＩ線を切断線とした略示断面図、図７は、展開した綴じ具４を略示する拡大左側面図、図８は、展開した綴じ具４を略示する拡大正面図である。
【００１８】
図２に示すように、綴じ具４は、矩形板状の基材５を有する。基材５の各長辺は前後方向に延び、各短辺は左右方向に延びる。基材５の左後隅部には、後方に向けて突出した突出部６が形成されており、左前隅部には、前方に向けて突出した突出部６が形成されている。基材５及び突出部６は、裏表紙３に固定されている。
【００１９】
基材５の前側短辺には、前方且つ上方に突出した帯状片７が形成されており、後側短辺には、後方且つ上方に突出した帯状片７が形成されている。前後方向において、帯状片７の先端は突出部６の先端よりも外側に配置されている。帯状片７は裏表紙３に固定されていない。
【００２０】
図５に示すように、帯状片７の先端部には、下方に突出した二つの凸部７ａ、７ａが形成されている。二つの凸部７ａ、７ａは左右に並ぶ。二つの凸部７ａ、７ａの間には前後に延びた溝７ｃが形成されている。二つの凸部７ａ、７ａそれぞれに、左右方向において外向きに突出した外側突起７ｂが形成されている。
【００２１】
基材５の左辺には、二つのヒンジ８、８を介して押さえ板９が連結している。押さえ板９は、第一板部９１、第二板部９２、及び二つの第三板部９３、９３を有する。第一板部９１は細長い矩形板状をなし、前後方向に延びている。第一板部９１の短辺は左右方向に延びている。図３〜図５に示すように、第一板部９１は断面円弧状に湾曲しており、展開した状態において、下方に突出するように湾曲している。
【００２２】
第二板部９２は細長い矩形板状をなし、前後方向に延びている。第二板部９２の短辺は左右方向に延びている。第二板部９２の前後寸法は第一板部９１の前後寸法の半分程度であり、第二板部９２の右辺は、第一板部９１の左辺の前後方向中央部に連なっている。
【００２３】
二つの第三板部９３、９３は、第二板部９２の前後にそれぞれ配置されている。平面視において、第三板部９３は台形状をなし、その上底が下底よりも短く、且つ一方の脚が斜辺９３ｄを形成し、他方の脚は上底及び下底に対して略直角をなしている。前側に配置された第三板部９３において、その下底は、第二板部９２の左辺に連なる。第三板部９３の斜辺９３ｄは後側、即ち第二板部９２側に配置され、第二板部９２に対向している。斜辺９３ｄと第二板部９２との間には空間が設けられており、斜辺９３ｄ、第二板部９２の前辺、及び第一板部９１の左辺による凹部９４が形成されている。
【００２４】
後側に配置された第三板部９３において、その下底は、第二板部９２の左辺に連なる。第三板部９３の斜辺９３ｄは前側、即ち第二板部９２側に配置され、第二板部９２に対向している。斜辺９３ｄと第二板部９２との間には空間が設けられており、斜辺９３ｄ、第二板部９２の後辺、及び第一板部９１の左辺による凹部９４が形成されている。
【００２５】
第三板部９３の左右寸法は第二板部９２の左右寸法と略同じである。第三板部９３には、平面視矩形状の貫通孔９３ａが形成されている。貫通孔９３ａは前後方向に延びる。貫通孔９３ａの左右縁部それぞれに、第三板部９３に直角な壁体９３ｂが形成されている。二つの壁体９３ｂ、９３ｂは可撓性を有し、左右方向において互いに対向する。図５及び図８に示すように、展開した状態において、壁体９３ｂは下方に突出している。右側の壁体９３ｂの左面と、左側の壁体９３ｂの右面とに、内側突起９３ｃがそれぞれ形成されている。内側突起９３ｃは、前述した凸部７ａの外側突起７ｂに係止する。
【００２６】
第一板部９１の右辺と、基材５の左辺とは、二つのヒンジ８、８を介して連結されている。二つのヒンジ８、８は前後に配置されており、二つのヒンジ８、８の間には空間が設けられている。前記空間は、前後方向において、基材５の中央に位置する。
【００２７】
ヒンジ８は、第一連結部８ａ、第二連結部８ｂ、及び第一折り曲げ部８ｃ〜第三折り曲げ部８ｅを有する。第一連結部８ａは細長い矩形板状をなし、前後方向に延びている。第一連結部８ａの短辺は左右方向に延びる。第二連結部８ｂは細長い矩形板状をなし、前後方向に延びている。第二連結部８ｂの短辺は左右方向に延びる。第一折り曲げ部８ｃ〜第三折り曲げ部８ｅは薄い層状をなし、可撓性を有する。
【００２８】
第一連結部８ａの右辺は、第一折り曲げ部８ｃを介して、基材５の左辺に連なる。第一連結部８ａの左辺は、第二折り曲げ部８ｄを介して、第二連結部８ｂの右辺に連なる。第二連結部８ｂの左辺は、第三折り曲げ部８ｅを介して、第一板部９１の右辺に連なる。
【００２９】
前側のヒンジ８、後側のヒンジ８、及び二つのヒンジ８、８の間に設けられた空間の前後寸法の合計は、第一板部９１の上下寸法に略等しい。
【００３０】
図２及び図４に示すように、前記空間には、二つのヒンジ８、８、基材５、及び第一板部９１に囲まれた矩形の開口８０が形成されている。開口８０の内側には、平面視矩形板状をなす補強部８１が配置されている。補強部８１は前後方向に延びており、その右辺は基材５の左辺に連なる。補強部８１の左右寸法は、第一連結部８ａの左右寸法に略等しい。補強部８１は裏表紙３に固定される。補強部８１によって、基材５は裏表紙３から剥がれ難くなる。
【００３１】
図２に示すように、帯状片７の基端部７ｄの左隣にヒンジ８が配置されている。基端部７ｄは、左右方向において、第一連結部８ａの前後方向中央部分に対向する。換言すれば、前後方向において、前後方向に延びたヒンジ８の両端部の間に、基端部７ｄは配置されている。突出部６の先端部分は、前後方向において、ヒンジ８よりも外側に位置する。帯状片７の基端部７ｄから先端までの寸法は、突出部６の前後寸法よりも長い。
【００３２】
図９は、押さえ板９と基材５とを対向させて、帯状片７を凹部９４に挿入した状態を略示する斜視図である。書類２０（被綴物）を綴じる場合、ユーザは綴じ具４を展開させて書類２０の孔に帯状片７を挿入させる。そして、ヒンジ８を介して押さえ板９を右側に折り返し、基材５に対向させ、帯状片７を凹部９４に挿入する。このとき、第三板部９３は帯状片７の下側に配置され、第三板部９３の壁体９３ｂは上向きに突出する。第三板部９３の壁体９３ｂ及び貫通孔９３ａと、帯状片７の凸部７ａとは上下に対向する。
【００３３】
図１０は、図１のＸ−Ｘ線を切断線とした、０枚又は数枚の書類２０を綴じた状態を略示する綴じ具４の断面図、図１１は、多数の書類２０を綴じた状態を略示する綴じ具４の断面図である。ユーザは、帯状片７の凸部７ａを壁体９３ｂ、９３ｂの間に挿入する。凸部７ａの外側突起７ｂは、壁体９３ｂを外側に押し、壁体９３ｂは外側に撓む。外側突起７ｂは更に挿入され、外側突起７ｂは、壁体９３ｂの内側突起９３ｃの下側に配置され、外側突起７ｂ及び内側突起９３ｃが係合する。
【００３４】
図１０に示すように、０枚又は数枚の書類２０を綴じた場合、例えば第二折り曲げ部８ｄを起点にして、押さえ板９は折り曲げられる。図１１に示すように、多数の書類２０を綴じた場合、例えば第一折り曲げ部８ｃを起点にして、押さえ板９は折り曲げられる。
【００３５】
綴じた書類２０を取り出すか、新しい書類２０を綴じる場合、ユーザは、綴じ具４を展開させる。ユーザは、帯状片７を上側に引き上げて、壁体９３ｂ、９３ｂの間に挿入された凸部７ａを引き抜く。凸部７ａを引き抜く場合、押さえ板９にも力が作用するが、ヒンジ８によって押さえ板９の撓みは抑制される。凸部７ａを壁体９３ｂ、９３ｂの間から引き抜く場合、二つの壁体９３ｂ、９３ｂは外側に、即ち互いに離れる方向に撓み、凸部７ａは円滑に引き抜かれる。
【００３６】
実施の形態にあっては、帯状片７の基端部７ｄの隣にヒンジ８が配されている。そのため、押さえ板９の自由な移動を規制し、押さえ板９の撓みを抑制することができ、帯状片７及び押さえ板９の係合を容易に解除させることができる。また押さえ板９の撓みによるモーメントが基材５に作用し難くなり、基材５が表紙から剥がれ難くなる。また二つのヒンジ８、８の間に開口８０を形成し、開口８０の内側において、基材５の長辺に補強部８１が設けられているので、より一層、基材５が表紙から剥がれ難くなる。即ち、長いヒンジ８及び補強部８１の相乗効果によって、基材５の表紙からの剥がれを効果的に防止することができる。
【００３７】
基材５の長手方向において、帯状片７の基端部７ｄは、前記長手方向に延びたヒンジ８の両端部の間に配されている。即ち、ヒンジ８は長く形成されている。そのため、押さえ板９の前端部及び後端部の自由な移動をより一層規制し、押さえ板９の撓みを抑制することができ、帯状片７及び押さえ板９の係合を容易に解除させることができ、また基材５が表紙から剥がれ難くなる。
【００３８】
また凸部７ａは二つの壁体９３ｂ、９３ｂの間に挿入され、係合する。係合を解除する場合、二つの壁体９３ｂ、９３ｂは互いに離れる方向に撓み、円滑に凸部７ａが抜き出される。そのため、凸部７ａ及び壁体９３ｂの係合を解除する場合に、凸部７ａ及び壁体９３ｂの間に発生する摩擦力を低減させて、押さえ板９の撓みを抑制することができる。その結果、帯状片７及び押さえ板９の係合を容易に解除させることができ、また押さえ板９の撓みによるモーメントが基材５に作用し難くなり、基材５は表紙から剥がれ難くなる。
【００３９】
上述した実施の形態においては、ヒンジ８は二つであるが、三つ以上であってもよい。また壁体９３ｂは二つであるが三つ以上であってもよい。例えば、貫通孔９３ａの左縁部又は右縁部に二つの壁体９３ｂを設けてもよく、貫通孔９３ａの前縁部又は後縁部に壁体９３ｂを設けてもよい。また貫通孔９３ａに代えて、第三板部９３に凹部を設けてもよく、また貫通孔９３ａを設けなくてもよい。書類２０は被綴物の一例に過ぎず、綴じ具４は、袋状のクリアシート等他の被綴物を綴じてもよい。
【００４０】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００４１】
１  ファイル
２  表表紙
３  裏表紙
４  綴じ具
５  基材
７  帯状片
７ａ  凸部（係合部）
９  押さえ板
９３ｂ  壁体（被係合部）
８  ヒンジ
２０  書類（被綴物）
８０  開口
８１  補強部
【図１】
2019077082.tif 000003
【図２】
2019077082.tif 000004
【図３】
2019077082.tif 000005
【図４】
2019077082.tif 000006
【図５】
2019077082.tif 000007
【図６】
2019077082.tif 000008
【図７】
2019077082.tif 000009
【図８】
2019077082.tif 000010
【図９】
2019077082.tif 000011
【図１０】
2019077082.tif 000012
【図１１】
2019077082.tif 000013